(57)【要約】【課題】  家庭排出の生ゴミ集積場において、生ゴミ収集後に放置されたままの生ゴミ覆いネットを収納するための、コンパクトな生ゴミ等覆いネット収納具を提供すること。  併せて、収納具に収納しやすいネットを提供すること。【解決手段】  ゴミ集積場に、ゴミネット等の収納具を置き、収納具は中に、ローラー収納ガイドや巻き取り装置等を設けることによって、ネット等を収納具に巻き込みながら、コンパクトに収納することができる。【選択図】図３
2011026109.tif 000002
【特許請求の範囲】
【請求項１】
家庭排出ゴミの路上等の集積場所に於いて、排出ゴミに覆いかぶせるネット等を清潔に収納し、その収納方法として、収納容器の内部に回転するロール状のガイドを備えた巻き取り装置を設けて、ゴミ覆いネット等を、巻き取り収納することを特徴とした家庭ゴミ覆いネット等収納具。
【請求項２】
請求項１記載の家庭ゴミ覆いネット等収納具に於いてネット等の収納を、手動の巻き取りハンドルで収納容器に収納する方法と、ゼンマイバネの巻き戻りを利用して自動的に巻き取る方法を備えたことを特徴とする家庭ゴミ覆いネット等収納具。
【請求項３】
収集のために路上に集積された家庭用ゴミに覆いかぶせるネットやシート等を、その中心部に巻き取り紐を取り付け、全体の形状を打ち網形状（円錐袋状）に形成し、更に巻き取り易くするために１片が三角形の網片・シート片をジャバラ状に折りたたみを可能にする、折り返しを設ける方法でつなぎ合わせ、且つ円周に等間隔におもりを配したことを特徴とする家庭ゴミ覆いネット等収納具。
【発明の詳細な説明】
【発明の詳細な説明】
【０００１】  この発明は、家庭から排出される生ゴミ等が、ゴミ収集作業車に回収されるまでの間、路上で放置状態となり、カラスやネコ等の鳥獣に食い荒されたり、風雨にさらされたりすることを防ぎ、地域が衛生的且つ快適に保たれることに関するものである。
【０００２】  前述に於ける生ゴミ等が、ゴミ収集作業車に回収された後、それまでゴミに覆いかぶせていたネットやシート類が置き去りにされ、地域の景観を著しく損なうことを改善し、交通の障害や事故防止に役立つことに関するものである。
【背景技術】
【０００３】  家庭より排出されるゴミはマンション等では、収集場所として囲いを作ったり、収納小屋を作っているものもあるが、一般には居宅前の路上に個々に排出したり、何軒かで一ヶ所に集めて置く。そしてその場合、よく管理されていると思われるところでも集積したゴミの上にシートを覆ったり、又ネットを掛けたりしているのが実態である。【０００４】  このため、置き去りにされたゴミは猫やカラスなどに食い荒らされ付近に散乱する。又、シートなどからはみ出したゴミ袋が同様になってしまう。これにより生ゴミが路上に散乱し、悪臭を発する原因ともなる。季節によっては他の害虫、すなわちハエや蚊、ゴキブリ等呼び込むこととなる。【０００５】  前項で示した通り、それらを覆うネットやシートは必要不可欠と云える、しかしそれらシートやネットが、又、問題を生じている。
ゴミを収集した後のシート、ネットが片付けられる迄の間、道路等に放置状態となりゴミの公害の二次的な問題を起していると云える。
交通の妨害となったり又、風にあおられたりすると一層危険がつきまとう。又、片付けられた後のシート、ネットは汚れたままの状態でその場に置かれているが、電柱やガードレールなどに、しばりつけ又、巻きつけ等されているのが現状で景観を著しく損ねている。
このようにゴミに係わるネット、シートの始末に於いては衛生の面からも美観の面からも収納、保護に緊急の改善が必要である。【０００６】  このため、特許文献１（特開２００４−５１３１６  Ｐ２００４−５１３１６Ａ）がある。ゴミ収容後の袋状のネットをハンドル式によって、ポール型、又はボックス形状の収納具に巻き上げ巾す方法がある。【０００７】  しかしながら前述する特許文献に於いては次の様な問題点を有するものである、ゴミ覆いネット等を収納するために、収納器の巨大化が避けられないと考えられる。仮に２ｍのネットを収納することになると、高さが少なくとも１．５ｍ近くが必要となる。
これは家庭ゴミの集積場が、ほとんどの場合公道上であり、こうした大きなものを置くことは通常許されない。
又、高さが高くなればなる程、収容器の安定は悪くなる。そのために公の道路に止め金を打つ事も、勿論認められるとは思えない。そして巨大化したゴミネット等の収容器は、新たな危険、交通障害などへ繋がってくると考えられる。
さらには、家庭ゴミが収集された後、ゴミの上に覆われていたネットやシート等はゴミ収集時に誰かがついていて、それらを収納器に巻き入れない限り、その場に放置されることになり、前記指摘の状態を同様に引き起こすことになる。
【特許文献１】  特許開２００４−５１３１６  Ｐ２００４−５１３１６Ａ
【発明の開示】
【発明が解決しようとする課題】
【０００８】  本発明は、前述の諸点に鑑みなされたものであって、前述の覆いネットやシートが置き去りにされたり、その場にそれら自体が露出置きや、電柱やガードレールに巻きつけ放置される実態から、保管するための収納用具を提供することである。
通行人の妨げにならないようにコンパクトな、ゴミ覆いネット収納具を提供することである。【０００９】  本発明は、前述の収納具に容易に収納するために、覆いネットやシートを、打ち網形状（円錐袋状）に形成することであり、且つネットやシートがナイロン製などの特性から、折り曲げたり束ねたりすると膨らむことにかんがみ、より巻き取り易くするために、縦割りにした一片が三角形の網片・シート片をジャバラ状に折りたたみを容易にする折り返しを設ける方法でつなぎ合わせて形成した、打ち網形状のゴミ覆いネットに、且つ、円周に等間隔におもりを配したことを特徴とする家庭ゴミ覆いネット。
【課題を解決するための手段】
【００１０】  上記に於いて、容器内にゴミ覆いネット収納具の特徴は、回転軸にゼンマイバネとそのストッパー及び巻き取り用ハンドルを取付けることに存する。すなわち収納具からネットを引き出す時ゼンマイバネを巻き、収納時にワンタッチボタンでストッパーを解除し、バネの巻き戻りの力によって自動的にゴミ覆いネットが、収納容器の中に収納されていくことに存する。特にゴミ収集車の収集時間が不確定な場所など、最も必要とされる。【００１１】  上記［００１０］に於いて、バネによる巻き込み収納と、手動によるハンドル操作の併用することも可能である。
すなわち、ゴミ収集車の収集と同時にゼンマイバネの作動により、ネットを収納具の側に集め交通等の妨げにならない程度まで収納し、その後、近隣の当番の者が適当な時に収納し切れていない部分を手動ハンドルで巻き上げ、収納保管することができることに存する。【００１２】  上記収納具の特徴はゴミ収集後、ゴミ覆いネット収納具を手軽に持ち運び次の収集まで保管できるコンパクトさと、又、コンパクトであることから通行などのさまたげにならないと思われる場合、容器本体をガードレール等の補助支柱に固定することが出来るよう、止め金具や固定用バンドを設けることに存する。【００１３】  上記のゴミ覆いネット収納具の特徴は、収納部上部の容器の入り口において束ねられていくネットなどが、通過時に摩擦抵抗が減るように、棒状の回転リングを取付けることに存する。
【発明の効果】
【００１４】  本発明のゴミ覆いネット収納具に於いては、これまでネコやカラス等に食い散らかされ荒らされたゴミ収集場に、ゴミ覆いネットが気軽に置けることになる。ゴミ覆いネットのさらなる普及を促がし、ごみ収集場がきちんときれいに管理されることに繋がる。そして二次的弊害を起していたゴミ覆いネット、シートの放置がきちんと収納できる容器、収納具の出現によって解消され交通の妨げ、更には交通事故防止に繋がることと期待できる。併せて汚れたシートやネットの放置や、近隣のガードレールや植木等への巻き付け等、野放し状態だった在り方に警鐘を鳴らし、地域の美観を取り戻せることになる。このように衛生上も美観からも、又、近隣の人々のゴミ置き場に於けるトラブルが絶えなかった現状からも、相当な効果が期待できる。
【実施例】
【００１５】  以下、本発明の実施の形態について説明する。
本発明にかかわる、家庭の排出生ゴミ覆いネット収納具の構成は図１に示すとおりのものであって、長方形形状１のケース中に回転可能にしたローラー３を数個設けて、ゴミ覆いネット２を巻き取るためのガイドとする。巻き取り軸６には、ゴミ覆いネットの中心に取り付けた巻き取り紐７が固定されている。【００１６】  図１の収納容器の下部にはヒモ７、ネット２を巻き上げるための入口８が設けてある。入口は、ネット等が円滑に巻き込まれるように丸い形状で、その縁には回転リング４を取付けることとする。
上部には、ネット等を巻き取るための手動のハンドル９を設ける。
回転軸６又は手動ハンドル９のいずれかに回転をストップさせるためのストッパー１０を設ける。覆いネットの使用時に、固定するためのものである。【００１７】  ネットの中心に結んだヒモ７は、容器内の回転する回転軸６に繋がれ、ハンドル９を廻すことで、容器の上部口から引き込まれ巻き取られていく。覆いネット入口８を上部に、することによって、巻き取り収納時に長三角形の網片、シート片を折り返しを設ける方法でつなぎ合わせて作った、打ち網状のネット、シート２はジャバラ状に折りたたみを容易にすることとなる。
ネットを取り出す時は、ストッパー１０をはずし、上部口に止まったネットの下部のおもり部分等を持って引けば回転軸は逆回転をし、ネットは引き出されてくる。【００１８】  ゼンマイバネ５を設けた場合のワンタッチ収納構造は、容器内部の回転軸にゼンマイバネを連結させる。回転軸６の回転によってゼンマイバネ５が巻かれたり、戻したりという作用は、公知のバネの作動の利用とする。この場合、容器の上部口から、留まっているネットの下部を引き出すことによって、回転軸に連結のゼンマイバネが巻かれる状態を起こし、バネは締まって弾力が増してくる。いわゆるゼンマイバネのヨリを強く作ることである。ネット２をヒモ７も含めて引出した後、ストッパー１０により逆戻りを防ぐこととする。【００１９】  ネットを使用後、収納に於いてはゼンマイバネのストッパー１０を解除することによって巻き取られていたゼンマイバネ５はヨリをを戻す作用で、ネット２を引き出す時とは逆の回転を起こし、回転軸６を回転させてネットは上部口から、ヒモ７の収納巻き込みに続いて、ローラーガイドを通って容器内の回転軸６に巻き取られていく。【００２０】  ゴミ覆いネット・シートの収納口を収納具容器の上部にすることによって、ジャバラ状のネット・シートをより折りたたみやすくすると共に、おもりがネット・シートに巻きついたりすることを防ぐことを容易にする。【００２１】  ゴミ覆いネットが収納具容器に収納後、収納口８に蓋１３をする。【００２２】  又、図６は半円形の蓋付き収納具１７に収納容器１と同様のゼンマイバネ５とストッパー１０及び巻き取りハンドル９を備えた回転軸６に、同じく三角形の網片・シート片をジャバラ状に折りたたみを容易にする、折り返しを設ける方法でつなぎ合わせて作った打ち網状のネット・シート２を、その中心で結んだ巻き取り紐７の一端を回転軸６に固定する。尚使用方法は前述のとおりである。【００２３】  蓋１８はゴミ覆いネット２を引き出したり、収納したりするとき、その操作がし易くするために設けたものであり、ゴミ覆いネットを使用しない時は閉じておき、ゴミ覆いネットの保護に役立てる。
【図面の簡単な説明】
【００２４】
【図１】  本発明にかかる、家庭排出生ゴミ覆いネット収納具の斜視図。
【図２】  本発明にかかる、家庭排出生ゴミ覆いネット収納具の側面図。
【図３】  本発明にかかる、家庭排出生ゴミ覆いネット収納具のＡ−Ａ断面図。
【図４】  本発明にかかる、家庭排出生ゴミ覆いネットの平面図。
【図５】  本発明にかかる、ゴミ覆いネット・シートの概略図。
【図６】  本発明にかかる、家庭排出生ゴミ覆いネット半円形蓋付き収納具の側面断面図。
【符号の説明】
【００２５】  １．  収納具容器
２．  ゴミ覆いネット、シート
３．  ローラー
４．  回転リング
５．  ゼンマイバネ
６．  回転軸
７．  ネット収納紐
８．  ネット収束口
９．  ハンドル
１０．  ストッパー
１１．  取手
１２．  固定用バンド取付具
１３．  蓋
１４．  蓋の取手
１５．  おもり
１６．  三角形状ジャバラ状つなぎ合わせ部
１７．  円形収納具
１８．  蓋
１９．  蝶つがい
２０．  取手
【図１】
2011026109.tif 000003
【図２】
2011026109.tif 000004
【図３】
2011026109.tif 000005
【図４】
2011026109.tif 000006
【図５】
2011026109.tif 000007
【図６】
2011026109.tif 000008